【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
臨床処置の間にパラメータを測定する方法であって、
発光体から、画像化されるターゲットに関連付けられた物体面に第１のパターンを投射するステップと、
前記発光体から、前記画像化されるターゲットに関連付けられた前記物体面に第２のパターンを投射するステップと、
前記画像化されるターゲットからの物体距離が適正であることを示す共通の点、線、又は他の幾何図形のいずれかで、前記第１及び第２のパターンが重なるように、前記第１及び第２のパターンを操作するステップと、
を含む方法。
【請求項２】
前記第１及び第２のパターンを投射する前記ステップは、前記画像化されるターゲットの寸法を示す測定単位を示すマークを有する前記第１及び第２のパターンを投射するステップを含み、
前記測定単位は少なくとも２次元で機能する、
請求項１に記載の方法。
【請求項３】
前記第１及び第２のパターンを投射する前記ステップは、前記物体面に第１及び第２のクロスヘアパターンを投射するステップを含み、前記クロスヘアパターンのそれぞれは、測定単位を示す目盛を軸上に有する、請求項２に記載の方法。
【請求項４】
前記操作するステップは更に、前記第１及び第２のクロスヘアパターンのそれぞれの中心点同士がちょうど重なって、前記ターゲットからの前記物体距離が適正であることを示すように、前記第１及び第２のクロスヘアパターンを操作するステップを含む、請求項３に記載の方法。
【請求項５】
臨床画像化処置及び／又は手術画像化処置の一方の間にリアルタイムで実施される、請求項２に記載の方法。
【請求項６】
前記発光体は、前記第１のパターンを前記物体面に投射する第１の発光体と、前記第２のパターンを前記物体面に投射する第２の発光体と、を含む、請求項１に記載の方法。
【請求項７】
前記投射するステップは更に、第１及び第２のレーザ放射体を使用して、それぞれ、前記第１及び第２のパターンを前記物体面に投射するステップを含み、前記各レーザ放射体は波長が約３５０ｎｍから約１０００ｎｍである、請求項６に記載の方法。
【請求項８】
非侵襲的であってリアルタイムで実施される、請求項１に記載の方法。
【請求項９】
前記物体距離は、前記ターゲットからカメラレンズまでの距離である、請求項１に記載の方法。
【請求項１０】
機能性が周囲光の影響を受けないように前記放射体の波長及び対応するパターンを選択する、請求項１に記載の方法。
【請求項１１】
臨床処置の間にパラメータを測定するシステムであって、
対応するパターン付きレンズを含む複数の発光体であって、前記複数の発光体のうちの第１及び第２の発光体が、それぞれ、第１及び第２のパターンを、画像化されるターゲットに関連付けられた物体面に投射するように構成されている、前記複数の発光体と、
前記画像化されるターゲットからの物体距離が適正であることを示す共通の点、線、又は他の幾何図形のいずれかで、前記第１及び第２のパターンが重なるように、前記第１及び第２のパターンを操作するように構成された入力モジュールと、
を含むシステム。
【請求項１２】
前記複数の発光体は、それぞれが対応するパターン付きレンズを有する３つ以上の発光体を含む、請求項１１に記載のシステム。
【請求項１３】
前記第１及び第２の発光体は、第１及び第２のレーザ放射体を含む、請求項１１に記載のシステム。
【請求項１４】
前記画像化処置は、臨床処置及び手術処置のいずれかの間に実施される、請求項１１に記載のシステム。
【手続補正２】
【補正対象書類名】明細書
【補正対象項目名】００５３
【補正方法】変更
【補正の内容】
【００５３】
本明細書では、本発明概念の実施形態を開示してきたが、具体的な用語を使用しているものの、それらは、限定の為ではなく、一般的且つ説明的な意味でのみ使用している。以下の特許請求の範囲は、本出願があらゆる裁判管轄権において優先権出願としてのあらゆる法定要件を満たすように提供されるものであり、本発明概念の範囲を明記するものとして解釈されるべきである。
〔付記１〕
臨床処置の間にパラメータを測定する方法であって、
発光体から、画像化されるターゲットに関連付けられた物体面に第１のパターンを投射するステップと、
前記発光体から、前記画像化されるターゲットに関連付けられた前記物体面に第２のパターンを投射するステップと、
前記第１及び第２のパターンが共通の点、線、又は他の幾何図形のいずれかで重なって、前記画像化されるターゲットからの物体距離が適正であることを示すように、前記第１及び第２のパターンを操作するステップと、
を含む方法。
〔付記２〕
前記第１及び第２のパターンを投射する前記ステップは、前記画像化されるターゲットの寸法を示す測定単位を示すマークを有する前記第１及び第２のパターンを投射するステップを含み、
前記測定単位は少なくとも２次元で機能する、
付記１に記載の方法。
〔付記３〕
前記第１及び第２のパターンを投射する前記ステップは、前記物体面に第１及び第２のクロスヘアパターンを投射するステップを含み、前記クロスヘアパターンのそれぞれは、測定単位を示す目盛を軸上に有する、付記２に記載の方法。
〔付記４〕
前記操作するステップは更に、前記第１及び第２のクロスヘアパターンのそれぞれの中心点同士がちょうど重なって、前記ターゲットからの前記物体距離が適正であることを示すように、前記第１及び第２のクロスヘアパターンを操作するステップを含む、付記３に記載の方法。
〔付記５〕
臨床画像化処置及び／又は手術画像化処置の一方の間にリアルタイムで実施される、付記２に記載の方法。
〔付記６〕
前記発光体は、前記第１のパターンを前記物体面に投射する第１の発光体と、前記第２のパターンを前記物体面に投射する第２の発光体と、を含む、付記１に記載の方法。
〔付記７〕
前記投射するステップは更に、第１及び第２のレーザ放射体を使用して、それぞれ、前記第１及び第２のパターンを前記物体面に投射するステップを含み、前記各レーザ放射体は波長が約３５０ｎｍから約１０００ｎｍである、付記６に記載の方法。
〔付記８〕
非侵襲的であってリアルタイムで実施される、付記１に記載の方法。
〔付記９〕
前記物体距離は、前記ターゲットからカメラレンズまでの距離である、付記１に記載の方法。
〔付記１０〕
機能性が周囲光の影響を受けないように前記放射体の波長及び対応するパターンを選択する、付記１に記載の方法。
〔付記１１〕
臨床処置の間にパラメータを測定するシステムであって、
対応するパターン付きレンズを含む複数の発光体であって、前記複数の発光体のうちの第１及び第２の発光体が、それぞれ、第１及び第２のパターンを、画像化されるターゲットに関連付けられた物体面に投射するように構成されている、前記複数の発光体と、
前記第１及び第２のパターンが共通の点、線、又は他の幾何図形のいずれかで重なって、前記画像化されるターゲットからの物体距離が適正であることを示すように、前記第１及び第２のパターンを操作するように構成された入力モジュールと、
を含むシステム。
〔付記１２〕
前記複数の発光体は、それぞれが対応するパターン付きレンズを有する３つ以上の発光体を含む、付記１１に記載のシステム。
〔付記１３〕
前記第１及び第２の発光体は、第１及び第２のレーザ放射体を含む、付記１１に記載のシステム。
〔付記１４〕
前記画像化処置は、臨床処置及び手術処置のいずれかの間に実施される、付記１１に記載のシステム。
〔付記１５〕
臨床処置の間にパラメータを測定するコンピュータプログラム製品であって、前記コンピュータプログラム製品は持続的コンピュータ可読記憶媒体に記憶され、前記持続的コンピュータ可読記憶媒体は、コンピュータ可読プログラムコードが前記媒体内に埋め込まれており、前記コンピュータ可読プログラムコードは、
画像化されるターゲットに関連付けられた物体面に複数のパターンを投射するように構成されたコンピュータ可読プログラムコードと、
前記複数のパターンが共通の点、線、又は他の幾何図形のいずれかで重なって、前記画像化されるターゲットからの物体距離が適正であることを示すように、前記複数のパターンを操作するように構成されたコンピュータ可読プログラムコードと、を含む、
コンピュータプログラム製品。
〔付記１６〕
複数のパターンを投射するように構成された前記コンピュータ可読プログラムコードは、
発光体から、画像化されるターゲットに関連付けられた物体面に第１のパターンを投射するコンピュータ可読プログラムコードと、
前記発光体から、前記画像化されるターゲットに関連付けられた前記物体面に第２のパターンを投射するコンピュータ可読プログラムコードと、を含む、
付記１５に記載のコンピュータプログラム製品。
〔付記１７〕
前記画像化されるターゲットの寸法を示す測定単位を示すマークを有する前記第１及び第２のパターンを投射するように構成されたコンピュータ可読プログラムコードを更に含む、付記１６に記載のコンピュータプログラム製品。
〔付記１８〕
前記物体面に第１及び第２のクロスヘアパターンを投射するように構成されたコンピュータ可読プログラムコードを更に含み、前記クロスヘアパターンのそれぞれは、測定単位を示す目盛を軸上に有する、付記１７に記載のコンピュータプログラム製品。
〔付記１９〕
前記第１及び第２のクロスヘアパターンのそれぞれの中心点同士がちょうど重なって、前記ターゲットからの前記物体距離が適正であることを示すように、前記第１及び第２のクロスヘアパターンを操作するコンピュータ可読プログラムコードを更に含む、付記１８に記載のコンピュータプログラム製品。
〔付記２０〕
前記発光体は、前記第１のパターンを前記物体面に投射する第１の発光体と、前記第２のパターンを前記物体面に投射する第２の発光体と、を含む、付記１６に記載のコンピュータプログラム製品。
〔付記２１〕
第１及び第２のレーザ放射体を使用して、それぞれ、前記第１及び第２のパターンを前記物体面に投射するコンピュータ可読プログラムコードを更に含み、前記各レーザ放射体は波長が約３５０ｎｍから約１０００ｎｍである、付記２０に記載のコンピュータプログラム製品。
〔付記２２〕
前記物体距離は、前記ターゲットからカメラレンズまでの距離である、付記１６に記載のコンピュータプログラム製品。